(57)【要約】【課題】  配達すべき遊技機が、正しく、目的地に届いたかどうかを、輸送元から確認できるシステムを提供する。【解決手段】  遊技機１に貼付した破壊検知型の無線ＩＣタグ６と遊技機の輸送元Ａに設ける輸送元コンピュータ２と目的地Ｂに設けるとともに輸送元コンピュータと通信可能な目的地コンピュータ４とを備え、無線ＩＣタグ６は、遊技機固有のタグＩＤを記憶する機能と記憶しているタグＩＤを無線送信する機能と自身が貼付されている遊技機からはがされた時に無線送信する機能を停止させる機能とを備え、目的地コンピュータは、無線ＩＣタグからタグＩＤを読み取る機能と目的地の位置を特定する位置情報を検出する機能と読み取ったタグＩＤおよび検出した位置情報を出力する機能とを備え輸送元コンピュータは、タグＩＤを記憶する機能と目的地コンピュータが出力するタグＩＤおよび位置情報を受信する機能とを備えた。【選択図】  図１
2006043113.tif 000002
【特許請求の範囲】
【請求項１】
遊技機に貼付した破壊検知型の無線ＩＣタグと、遊技機の輸送元に設ける輸送元コンピュータと、遊技機輸送の目的地に設けるとともに上記輸送元コンピュータと通信可能な目的地コンピュータとを備え、上記無線ＩＣタグは、それを貼付した遊技機固有のタグＩＤを記憶する機能と、記憶しているタグＩＤを無線送信する機能と、自身が貼付されている遊技機からはがされた時に、無線送信する機能を停止させるか、または、はがされる前と異なるタグＩＤを出力する機能とを備え、上記目的地コンピュータは、上記無線ＩＣタグからタグＩＤを読み取る機能と、目的地の位置を特定する位置情報を検出する機能と、読み取ったタグＩＤおよび検出した位置情報を出力する機能とを備え、上記輸送元コンピュータは、タグＩＤを記憶する機能と、上記目的地コンピュータが出力するタグＩＤおよび位置情報を受信する機能とを備えた遊技機の物流管理システム。
【請求項２】
遊技機に貼付した破壊検知型の無線ＩＣタグと、遊技機の輸送元に設ける輸送元コンピュータと、遊技機輸送の目的地に設ける目的地コンピュータと、上記輸送元コンピュータおよび目的地コンピュータと通信可能な管理コンピュータとを備え、上記無線ＩＣタグは、それを貼付した遊技機固有のタグＩＤを記憶する機能と、記憶しているタグＩＤを無線送信する機能と、自身が貼付されている遊技機からはがされた時に、無線送信する機能を停止させるか、または、はがされる前と異なるタグＩＤを出力する機能とを備え、上記目的地コンピュータは、上記無線ＩＣタグからタグＩＤを読み取る機能と、目的地の位置を特定する位置情報を検出する機能と、読み取ったタグＩＤおよび検出した位置情報を、上記管理コンピュータに対して出力する機能とを備え、上記輸送元コンピュータは、タグＩＤを記憶する機能と、上記管理コンピュータを介して目的地コンピュータが出力するタグＩＤおよび位置情報を受信する機能とを備えた遊技機の物流管理システム。
【請求項３】
遊技機に貼付した破壊検知型の無線ＩＣタグと、遊技機の輸送元に設ける輸送元コンピュータと、遊技機輸送の目的地に設けるとともに上記輸送元コンピュータと通信可能な目的地コンピュータとを備え、上記無線ＩＣタグは、それを貼付した遊技機固有のタグＩＤを記憶する機能と、記憶しているタグＩＤを無線送信する機能と、自身が貼付されている遊技機からはがされた時に、無線送信する機能を停止させるか、または、はがされる前と異なるタグＩＤを出力する機能とを備え、上記目的地コンピュータは、上記輸送元コンピュータから暗号化キーを受信する機能と、上記無線ＩＣタグからタグＩＤを読み取る機能と、読み取ったタグＩＤを、上記暗号化キーを用いて暗号化し、暗号化タグＩＤとして出力する機能とを備え、上記輸送元コンピュータは、タグＩＤを記憶する機能と、タグＩＤを暗号化するための暗号化キーを生成する機能と、生成した暗号化キーを目的地コンピュータに対して送信する機能と、上記目的地コンピュータが出力する暗号化タグＩＤを受信する機能と、受信した暗号化タグＩＤを自身が送信した暗号化キーに対応する復号化キーを用いて復号化する機能とを備えた遊技機の監視システム。
【請求項４】
遊技機に貼付した破壊検知型の無線ＩＣタグと、遊技機の輸送元に設ける輸送元コンピュータと、遊技機輸送の目的地に設けるとともに上記輸送元コンピュータと通信可能な目的地コンピュータとを備え、上記無線ＩＣタグは、それを貼付した遊技機固有のタグＩＤを記憶する機能と、記憶しているタグＩＤを無線送信する機能と、自身が貼付されている遊技機からはがされた時に、無線送信する機能を停止させるか、または、はがされる前と異なるタグＩＤを出力する機能とを備え、上記目的地コンピュータは、タグＩＤを暗号化する暗号化キーを記憶する機能と、上記無線ＩＣタグからタグＩＤを読み取る機能と、読み取ったタグＩＤを、上記暗号化キーを用いて暗号化し、暗号化タグＩＤとして出力する機能とを備え、上記輸送元コンピュータは、タグＩＤを記憶する機能と、上記目的地コンピュータが出力する暗号化タグＩＤを受信する機能と、上記目的地側のＩＤ用公開鍵を入力する機能と、受信した暗号化タグＩＤを上記ＩＤ用公開鍵を用いて復号化する機能とを備えた遊技機の監視システム。
【請求項５】
遊技機を受け取り側へ渡す受け渡し側が使用する受け渡し側コンピュータと、受け取り側が使用するとともに、上記受け渡し側コンピュータと通信可能な受け取り側コンピュータとを備え、受け渡し側コンピュータは、受け渡し側が受け取り側へ遊技機を受け渡す際に受け渡し側コンピュータの固有ＩＤを送信する機能と、遊技機に貼付されている上記無線ＩＣタグからタグＩＤを読み取る機能と、受け取り側コンピュータから送信された暗号化キーを受信する機能と、この暗号化キーを用いて読み取ったタグＩＤを暗号化し、暗号化タグＩＤとして受け取り側コンピュータへ送信する機能とを備え、受け取り側コンピュータは、タグＩＤを暗号化するための暗号化キーを生成する機能と、生成した暗号化キーを受け渡し側コンピュータへ送信する機能と、受け取り側が遊技機を受け取る際に受け渡し側コンピュータの固有ＩＤを受信する機能と、その遊技機に貼付されている無線ＩＣタグからタグＩＤを読み取る機能と、読み取ったタグＩＤを記憶する機能と、受け渡し側コンピュータから暗号化タグＩＤを受信する機能と、受信した暗号化タグＩＤを自身が生成した暗号化キーに対応する復号化キーを用いて復号化する機能と、受信した受け渡し側コンピュータの固有ＩＤに上記復号化したタグＩＤを対応付けて記憶する機能と、タグＩＤに対応した受け渡し側コンピュータの固有ＩＤを特定する機能とを備えた請求項１〜４のいずれか１に記載の遊技機の物流管理システム。
【請求項６】
遊技機を受け取り側へ渡す受け渡し側が使用する受け渡し側コンピュータと、受け取り側が使用するとともに、上記受け渡し側コンピュータと通信可能な受け取り側コンピュータとを備え、受け渡し側コンピュータは、受け渡し側が受け取り側へ遊技機を受け渡す際に遊技機に貼付されている上記無線ＩＣタグからタグＩＤを読み取る機能と、自身が記憶している暗号化キーを用いて読み取ったタグＩＤを暗号化し、それを暗号化タグＩＤとして受け取り側コンピュータへ送信する機能とを備え、受け取り側コンピュータは、受け取り側が遊技機を受け取る際にその遊技機に貼付されている無線ＩＣタグからタグＩＤを読み取る機能と、受け渡し側のＩＤ用公開鍵を受信する機能と、受け渡し側コンピュータから暗号化タグＩＤを受信して記憶する機能と、記憶した暗号化タグＩＤを上記ＩＤ用公開鍵を用いて復号化する機能とを備えた請求項１〜４のいずれか１に記載の遊技機の物流管理システム。
【請求項７】
遊技機を受け取り側へ渡す受け渡し側が使用する受け渡し側コンピュータと、受け取り側が使用するとともに、上記受け渡し側コンピュータと通信可能な受け取り側コンピュータとを備え、受け渡し側コンピュータは、受け取り側コンピュータの固有ＩＤを受信する機能と、受け渡し側が受け取り側へ遊技機を受け渡す際に遊技機に貼付されている上記無線ＩＣタグからタグＩＤを読み取る機能と、読み取ったタグＩＤを記憶する機能と、タグＩＤを暗号化するための暗号化キーを生成する機能と、生成した暗号化キーを受け取り側コンピュータへ送信する機能と、受け取り側コンピュータから送信された暗号化タグＩＤを受信する機能と、受信した暗号化タグＩＤを自身が生成した暗号化キーに対応する復号化キーを用いて復号化する機能と、受信した受け取り側コンピュータの固有ＩＤに上記復号化したタグＩＤを対応付けて記憶する機能と、タグＩＤから受け取り側コンピュータの固有ＩＤを特定する機能とを備え、受け取り側コンピュータは、受け取り側が遊技機を受け取る際に、受け取り側コンピュータの固有ＩＤを送信する機能と、受け取った遊技機に貼付されている無線ＩＣタグからタグＩＤを読み取る機能と、受け渡し側コンピュータから暗号化キーを受信する機能と、この暗号化キーを用いて読み取ったタグＩＤを暗号化し、暗号化タグＩＤとして受け取り側コンピュータへ送信する機能とを備えた請求項１〜６のいずれか１に記載の遊技機の物流管理システム。
【請求項８】
遊技機を受け取り側へ渡す受け渡し側が使用する受け渡し側コンピュータと、受け取り側が使用するとともに、上記受け渡し側コンピュータと通信可能な受け取り側コンピュータとを備え、上記無線ＩＣタグは、それを貼付した遊技機固有のタグＩＤを記憶する機能と、記憶しているタグＩＤを無線送信する機能と、自身が貼付されている遊技機からはがされた時に、無線送信する機能を停止させるか、または、はがされる前と異なるタグＩＤを出力する機能とを備え、受け渡し側コンピュータは、受け渡し側が受け取り側へ遊技機を受け渡す際に遊技機に貼付されている上記無線ＩＣタグからタグＩＤを読み取る機能と、読み取ったタグＩＤを記憶する機能と、受け取り側のＩＤ用公開鍵を受信する機能と、受け取り側コンピュータから暗号化タグＩＤを受信して記憶する機能と、記憶した暗号化タグＩＤを上記ＩＤ用公開鍵を用いて復号化する機能とを備え、受け取り側コンピュータは、受け取り側が遊技機を受け取る際に、その遊技機に貼付されている無線ＩＣタグからタグＩＤを読み取る機能と、自身が記憶している暗号化キーを用いて読み取ったタグＩＤを暗号化し、それを暗号化タグＩＤとして受け渡し側コンピュータへ送信する機能とを備えた請求項１〜６のいずれか１に記載の遊技機の物流管理システム。
【請求項９】
受け渡し側コンピュータは、任意のコードを記憶する機能と、受け取り側コンピュータとの間で他のデータを送受信する前に、上記任意のコードを受け取り側コンピュータに送信する機能と、受け取り側のコード用公開鍵を受信する機能と、受け取り側コンピュータから暗号化コードを受信する機能と、この暗号化コードを上記コード用公開鍵を用いて復号化する機能とを備え、受け取り側コンピュータは、受け渡し側コンピュータから上記任意のコードを受信する機能と、受信したコードを自身が記憶している暗号化キーを用いて暗号化し、それを暗号化コードとして受け渡し側コンピュータへ送信する機能とを備えた請求項５〜８のいずれか１に記載の遊技機の物流管理システム。
【請求項１０】
受け取り側コンピュータは、任意のコードを記憶する機能と、受け渡し側コンピュータとの間で他のデータを送受信する前に、上記任意のコードを受け渡し側コンピュータに送信する機能と、受け渡し側のコード用公開鍵を受信する機能と、受け渡し側コンピュータから暗号化コードを受信する機能と、この暗号化コードを上記コード用公開鍵を用いて復号化する機能とを備え、受け渡し側コンピュータは、受け取り側コンピュータから上記任意のコードを受信する機能と、受信したコードを自身が記憶している暗号化キーを用いて暗号化し、それを暗号化コードとして受け取り側コンピュータへ送信する機能とを備えた請求項５〜８のいずれか１に記載の遊技機の物流管理システム。
【発明の詳細な説明】
【技術分野】
【０００１】
この発明は、例えば、工場からホールなどへ、遊技機を輸送する際に、工場出荷された遊技機が、輸送途中で不正な操作などをされないで、きちんと目的地に到着したことを確認するための遊技機の物流確認システムに関する。
【背景技術】
【０００２】
輸送中の配達物の位置を確認するためのシステムがある。
例えば、配達物にバーコードなどの配達物識別情報を添付し、この配達物識別情報を、配達員の携帯端末に定期的に読み取らせて、そのデータを管理コンピュータへ送信する。上記携帯端末には、ＧＰＳ（global positioning system）ユニットなどの位置検出手段を備え、位置情報も、管理コンピュータへ送信するようにする。
上記のようにすることで、管理コンピュータには、定期的に、位置情報と配達物識別情報とが送信されることになる。管理コンピュータが受信した位置情報から、配達中の配達物の位置を確認することができ、最終的には、配達物が目的地に配達されたかどうかがわかるというものである（特許文献１参照）。
【特許文献１】特開２００３−０９５４４１号公報
【特許文献２】特開２００２−２４８２５０号公報
【発明の開示】
【発明が解決しようとする課題】
【０００３】
上記のようなシステムでは、配達物に取り付けた配達物識別情報を読み取ることによって、配達物を特定しようとしている。上記配達物識別情報として、例えば、箱の表面にバーコードを印刷したり、ＩＤを発信するＩＣタグなどを取り付けたりすることが行われている。
しかし、バーコードをプリントしたラベルを貼り換えたり、バーコードを光学的にコピーしたり、ＩＣタグを取り外したりすれば、配達物をすり替えることが可能である。あるいは、ＩＣタグだけを目的地に持って行っても配達物が目的地に着いたと判断されてしまう。
【０００４】
つまり、目的地において、正しいバーコードなどを読み取れば、配達物が正しく目的地に届いたと判断され、配達物の真偽までは判定できないという問題があった。
上記のような問題は、現行のシステムが、例えば配達中に「今、配達物はどこにあるのか、どのあたりまで輸送されているのか」ということを確認したり、配達員が目的地に届けたことを証明したりするためのシステムであって、輸送中に、配達物が入れ替わってしまうようなことを想定したものではないために発生する問題である。
【０００５】
一方、パチンコ台などの遊技機には、その動作を制御する制御基板などの電子部品が、予め取り付けられている。そして、この制御基板で、例えば、出玉率や、大当たりの確率などを制御している。そこで、遊技者など、特定の者が有利になるように、制御基板を不正に交換することが考えられる。
このような制御基板の交換を、遊技機が遊技場に設置されてから行うのは非常に難しいので、輸送経路中に制御基板を交換されることがある。つまり、工場出荷時と、遊技場に設置されたときでは、性能の違う遊技機になっているということである。
【０００６】
このように、輸送中に輸送物の性能が変化してしまうようなことは、遊技機特有の問題である。そして、遊技機の電子部品が不正交換されるたかどうかを監視するシステムとして、上記電子部品を被覆するように貼り付けるＩＣタグを利用したものがある。このＩＣタグは、被貼付物に貼付した後、これをはがすと通信ができなくなるというものである。このＩＣタグから正しいＩＤが読み取れるか否かによって、ＩＣタグを貼付した電子部品が正規のものであるかを確認するシステムである（特許文献２参照）。
ただし、このシステムは、例えば、工場から出荷された遊技機を受け取った側で、そのものが正規の製品であるか否かを確認するシステムであって、工場側で、遊技機が目的地に正しく届いたかどうかを確認するためのシステムではない。出荷側で、確認したい場合には、このシステムとは別に、受け取り側へ問い合わせをしなければならない。
【０００７】
この発明の目的は、遊技機や、遊技機に取り付けられた電子部品などが交換されることなく、正しく、目的地に届いたかどうかを、輸送元で確認することができる遊技機の物流確認システムを提供することである。
【課題を解決するための手段】
【０００８】
第１の発明は、遊技機に貼付した破壊検知型の無線ＩＣタグと、遊技機の輸送元に設ける輸送元コンピュータと、遊技機輸送の目的地に設けるとともに上記輸送元コンピュータと通信可能な目的地コンピュータとを備え、上記無線ＩＣタグは、それを貼付した遊技機固有のタグＩＤを記憶する機能と、記憶しているタグＩＤを無線送信する機能と、自身が貼付されている遊技機からはがされた時に、無線送信する機能を停止させるか、または、はがされる前と異なるタグＩＤを出力する機能とを備え、上記目的地コンピュータは、上記無線ＩＣタグからタグＩＤを読み取る機能と、目的地の位置を特定する位置情報を検出する機能と、読み取ったタグＩＤおよび検出した位置情報を出力する機能とを備え、上記輸送元コンピュータは、タグＩＤを記憶する機能と、上記目的地コンピュータが出力するタグＩＤおよび位置情報を受信する機能とを備えた点に特徴を有する。
【０００９】
第２の発明は、遊技機に貼付した破壊検知型の無線ＩＣタグと、遊技機の輸送元に設ける輸送元コンピュータと、遊技機輸送の目的地に設ける目的地コンピュータと、上記輸送元コンピュータおよび目的地コンピュータと通信可能な管理コンピュータとを備え、上記無線ＩＣタグは、それを貼付した遊技機固有のタグＩＤを記憶する機能と、記憶しているタグＩＤを無線送信する機能と、自身が貼付されている遊技機からはがされた時に、無線送信する機能を停止させるか、または、はがされる前と異なるタグＩＤを出力する機能とを備え、上記目的地コンピュータは、上記無線ＩＣタグからタグＩＤを読み取る機能と、目的地の位置を特定する位置情報を検出する機能と、読み取ったタグＩＤおよび検出した位置情報を、上記管理コンピュータに対して出力する機能とを備え、上記輸送元コンピュータは、タグＩＤを記憶する機能と、上記管理コンピュータを介して目的地コンピュータが出力するタグＩＤおよび位置情報を受信する機能とを備えた点に特徴を有する。
【００１０】
第３の発明は、遊技機に貼付した破壊検知型の無線ＩＣタグと、遊技機の輸送元に設ける輸送元コンピュータと、遊技機輸送の目的地に設けるとともに上記輸送元コンピュータと通信可能な目的地コンピュータとを備え、上記無線ＩＣタグは、それを貼付した遊技機固有のタグＩＤを記憶する機能と、記憶しているタグＩＤを無線送信する機能と、自身が貼付されている遊技機からはがされた時に、無線送信する機能を停止させるか、または、はがされる前と異なるタグＩＤを出力する機能とを備え、上記目的地コンピュータは、上記輸送元コンピュータから暗号化キーを受信する機能と、上記無線ＩＣタグからタグＩＤを読み取る機能と、読み取ったタグＩＤを、上記暗号化キーを用いて暗号化し、暗号化タグＩＤとして出力する機能とを備え、上記輸送元コンピュータは、タグＩＤを記憶する機能と、タグＩＤを暗号化するための暗号化キーを生成する機能と、生成した暗号化キーを目的地コンピュータに対して送信する機能と、上記目的地コンピュータが出力する暗号化タグＩＤを受信する機能と、受信した暗号化タグＩＤを自身が送信した暗号化キーに対応する復号化キーを用いて復号化する機能とを備えた点に特徴を有する。
【００１１】
第４の発明は、遊技機に貼付した破壊検知型の無線ＩＣタグと、遊技機の輸送元に設ける輸送元コンピュータと、遊技機輸送の目的地に設けるとともに上記輸送元コンピュータと通信可能な目的地コンピュータとを備え、上記無線ＩＣタグは、それを貼付した遊技機固有のタグＩＤを記憶する機能と、記憶しているタグＩＤを無線送信する機能と、自身が貼付されている遊技機からはがされた時に、無線送信する機能を停止させるか、または、はがされる前と異なるタグＩＤを出力する機能とを備え、上記目的地コンピュータは、タグＩＤを暗号化する暗号化キーを記憶する機能と、上記無線ＩＣタグからタグＩＤを読み取る機能と、読み取ったタグＩＤを、上記暗号化キーを用いて暗号化し、暗号化タグＩＤとして出力する機能とを備え、上記輸送元コンピュータは、タグＩＤを記憶する機能と、上記目的地コンピュータが出力する暗号化タグＩＤを受信する機能と、上記目的地側のＩＤ用公開鍵を入力する機能と、受信した暗号化タグＩＤを上記ＩＤ用公開鍵を用いて復号化する機能とを備えた点に特徴を有する。
なお、上記第１〜第４の発明の無線ＩＣタグが遊技機からはがされた状態には、無線ＩＣタグ全体を遊技機から完全にはがし取った状態だけでなく、部分的にはがした状態も含むものとする。
【００１２】
第５の発明は、上記第１〜第４の発明を前提とし、遊技機を受け取り側へ渡す受け渡し側が使用する受け渡し側コンピュータと、受け取り側が使用するとともに、上記受け渡し側コンピュータと通信可能な受け取り側コンピュータとを備え、受け渡し側コンピュータは、受け渡し側が受け取り側へ遊技機を受け渡す際に受け渡し側コンピュータの固有ＩＤを送信する機能と、遊技機に貼付されている上記無線ＩＣタグからタグＩＤを読み取る機能と、受け取り側コンピュータから送信された暗号化キーを受信する機能と、この暗号化キーを用いて読み取ったタグＩＤを暗号化し、暗号化タグＩＤとして受け取り側コンピュータへ送信する機能とを備え、受け取り側コンピュータは、タグＩＤを暗号化するための暗号化キーを生成する機能と、生成した暗号化キーを受け渡し側コンピュータへ送信する機能と、受け取り側が遊技機を受け取る際に受け渡し側コンピュータの固有ＩＤを受信する機能と、その遊技機に貼付されている無線ＩＣタグからタグＩＤを読み取る機能と、読み取ったタグＩＤを記憶する機能と、受け渡し側コンピュータから暗号化タグＩＤを受信する機能と、受信した暗号化タグＩＤを自身が生成した暗号化キーに対応する復号化キーを用いて復号化する機能と、受信した受け渡し側コンピュータの固有ＩＤに上記復号化したタグＩＤを対応付けて記憶する機能と、タグＩＤに対応した受け渡し側コンピュータの固有ＩＤを特定する機能とを備えた点に特徴を有する。
【００１３】
第６の発明は、上記第１〜第４の発明を前提とし、遊技機を受け取り側へ渡す受け渡し側が使用する受け渡し側コンピュータと、受け取り側が使用するとともに、上記受け渡し側コンピュータと通信可能な受け取り側コンピュータとを備え、受け渡し側コンピュータは、受け渡し側が受け取り側へ遊技機を受け渡す際に遊技機に貼付されている上記無線ＩＣタグからタグＩＤを読み取る機能と、自身が記憶している暗号化キーを用いて読み取ったタグＩＤを暗号化し、それを暗号化タグＩＤとして受け取り側コンピュータへ送信する機能とを備え、受け取り側コンピュータは、受け取り側が遊技機を受け取る際にその遊技機に貼付されている無線ＩＣタグからタグＩＤを読み取る機能と、受け渡し側のＩＤ用公開鍵を受信する機能と、受け渡し側コンピュータから暗号化タグＩＤを受信して記憶する機能と、記憶した暗号化タグＩＤを上記ＩＤ用公開鍵を用いて復号化する機能とを備えた点に特徴を有する。
【００１４】
なお、上記受け渡し側コンピュータで用いる暗号化キーは、受け渡し側コンピュータで生成する必要はない。他のコンピュータで生成した暗号化キーを受け渡し側コンピュータが受信して利用するようにしてもかまわない。
また、上記受け渡し側のＩＤ用公開鍵は、受け渡し側から公開され、受け渡し側コンピュータが用いた暗号化キーに対応した公開鍵であるが、受け渡し側コンピュータが生成するものとは限らない。
【００１５】
第７の発明は、上記第１〜第６の発明を前提とし、遊技機を受け取り側へ渡す受け渡し側が使用する受け渡し側コンピュータと、受け取り側が使用するとともに、上記受け渡し側コンピュータと通信可能な受け取り側コンピュータとを備え、受け渡し側コンピュータは、受け取り側コンピュータの固有ＩＤを受信する機能と、受け渡し側が受け取り側へ遊技機を受け渡す際に遊技機に貼付されている上記無線ＩＣタグからタグＩＤを読み取る機能と、読み取ったタグＩＤを記憶する機能と、タグＩＤを暗号化するための暗号化キーを生成する機能と、生成した暗号化キーを受け取り側コンピュータへ送信する機能と、受け取り側コンピュータから送信された暗号化タグＩＤを受信する機能と、受信した暗号化タグＩＤを自身が生成した暗号化キーに対応する復号化キーを用いて復号化する機能と、受信した受け取り側コンピュータの固有ＩＤに上記復号化したタグＩＤを対応付けて記憶する機能と、タグＩＤから受け取り側コンピュータの固有ＩＤを特定する機能とを備え、受け取り側コンピュータは、受け取り側が遊技機を受け取る際に、受け取り側コンピュータの固有ＩＤを送信する機能と、受け取った遊技機に貼付されている無線ＩＣタグからタグＩＤを読み取る機能と、受け渡し側コンピュータから暗号化キーを受信する機能と、この暗号化キーを用いて読み取ったタグＩＤを暗号化し、暗号化タグＩＤとして受け取り側コンピュータへ送信する機能とを備えた点に特徴を有する。
【００１６】
第８の発明は、上記第１〜第６の発明を前提とし、遊技機を受け取り側へ渡す受け渡し側が使用する受け渡し側コンピュータと、受け取り側が使用するとともに、上記受け渡し側コンピュータと通信可能な受け取り側コンピュータとを備え、上記無線ＩＣタグは、それを貼付した遊技機固有のタグＩＤを記憶する機能と、記憶しているタグＩＤを無線送信する機能と、自身が貼付されている遊技機からはがされた時に、無線送信する機能を停止させるか、または、はがされる前と異なるタグＩＤを出力する機能とを備え、受け渡し側コンピュータは、受け渡し側が受け取り側へ遊技機を受け渡す際に遊技機に貼付されている上記無線ＩＣタグからタグＩＤを読み取る機能と、読み取ったタグＩＤを記憶する機能と、受け取り側のＩＤ用公開鍵を受信する機能と、受け取り側コンピュータから暗号化タグＩＤを受信して記憶する機能と、記憶した暗号化タグＩＤを上記ＩＤ用公開鍵を用いて復号化する機能とを備え、受け取り側コンピュータは、受け取り側が遊技機を受け取る際に、その遊技機に貼付されている無線ＩＣタグからタグＩＤを読み取る機能と、自身が記憶している暗号化キーを用いて読み取ったタグＩＤを暗号化し、それを暗号化タグＩＤとして受け渡し側コンピュータへ送信する機能とを備えた点に特徴を有する。
【００１７】
なお、上記受け取り側コンピュータで用いる暗号化キーは、受け取り側コンピュータで生成する必要はない。他のコンピュータで生成した暗号化キーを受け取り側コンピュータが受信して利用するようにしてもかまわない。
また、上記受け取り側のＩＤ用公開鍵は、受け取り側から公開され、受け取り側コンピュータが用いた暗号化キーに対応した復号化キーであるが、受け取り側コンピュータが生成するものとは限らない。
【００１８】
第９の発明は、上記第５〜第８の発明を前提とし、受け渡し側コンピュータは、任意のコードを記憶する機能と、受け取り側コンピュータとの間で他のデータを送受信する前に、上記任意のコードを受け取り側コンピュータに送信する機能と、受け取り側のコード用公開鍵を受信する機能と、受け取り側コンピュータから暗号化コードを受信する機能と、この暗号化コードを上記コード用公開鍵を用いて復号化する機能とを備え、受け取り側コンピュータは、受け渡し側コンピュータから上記任意のコードを受信する機能と、受信したコードを自身が記憶している暗号化キーを用いて暗号化し、それを暗号化コードとして受け渡し側コンピュータへ送信する機能とを備えた点に特徴を有する。
【００１９】
第１０の発明は、上記第５〜第８の発明を前提とし、受け取り側コンピュータは、任意のコードを記憶する機能と、受け渡し側コンピュータとの間で他のデータを送受信する前に、上記任意のコードを受け渡し側コンピュータに送信する機能と、受け渡し側のコード用公開鍵を受信する機能と、受け渡し側コンピュータから暗号化コードを受信する機能と、この暗号化コードを上記コード用公開鍵を用いて復号化する機能とを備え、受け渡し側コンピュータは、受け取り側コンピュータから上記任意のコードを受信する機能と、受信したコードを自身が記憶している暗号化キーを用いて暗号化し、それを暗号化コードとして受け取り側コンピュータへ送信する機能とを備えた点に特徴を有する。
【発明の効果】
【００２０】
第１〜第１０の発明によれば、遊技機に貼付した無線ＩＣタグがはがされたかどうかがわかるようにしているので、輸送元から、目的地に向けて発送した遊技機が、無線ＩＣタグとともに目的地に届いたかどうかを、輸送元から確実に確認することができるようになる。
第１の発明によれば、目的地の位置情報によって、遊技機が届いた目的地が正しいことを確認することができる。
第２の発明によれば、輸送元コンピュータは、管理コンピュータを介して目的地コンピュータから出力されるタグＩＤや位置情報を受信して、目的地に遊技機が届いたことを確認できる。また、複数の目的地の情報を、管理コンピュータが一括管理することができる。
【００２１】
第３の発明によれば、輸送元コンピュータが生成した暗号化キーを目的地コンピュータへ送信しておくので、輸送元コンピュータが、受信した暗号を復号化できることによって、暗号化タグＩＤを送信した目的地が正しいことを確認することができる。
第４の発明によれば、輸送元コンピュータは、復号化キーを目的地コンピュータから受信するので、受信した復号化キーで暗号化タグＩＤを復号化できることによって、暗号化タグＩＤを送信した目的地が正しいことを確認することができる。
【００２２】
第５〜第１０の発明によれば、遊技機の受け渡しの際に、輸送業者などの業者間で、遊技機のやりとりを行った相手を確認することができる。また、そのことを、後から証明することもできる。
第５、第６の発明によれば、受け取り側で、遊技機を受け渡した側を確認することができる。すなわち、受け取り側は、正規の相手から遊技機を受け取ったのかどうかを確認することができる。
また、第７、第８の発明によれば、受け渡し側が、遊技機を渡した相手を確認することができ、正規の相手に遊技機を渡したかどうかを確認できる。
さらに、第９、第１０の発明によれば、受け渡し側コンピュータと受け取り側コンピュータとの間の通信時に、通信相手を確認することができる。
【発明を実施するための最良の形態】
【００２３】
図１，図２に示す第１実施形態は、遊技機１の輸送元Ａに設置した輸送元コンピュータ２と、目的地Ｂに設置した目的地コンピュータ４を備え、上記輸送元コンピュータ２と上記目的地コンピュータ４とを通信ネットＮを介して接続している。そして、上記各コンピュータ２，４には、後で説明する無線ＩＣタグ６との間で無線通信可能なリーダー３，５を設けている。上記輸送元Ａは、例えば、遊技機メーカーであり、目的地Ｂは、遊技場である。
また、遊技機１には、破壊検知型の無線ＩＣタグ６を貼付している。
なお、図中、二重線の矢印は、遊技機１の移動を示したものである。
【００２４】
上記破壊検知型の無線ＩＣタグ６は、図２に示すようにＩＤ記憶部７と無線送受信部８とを備え、一面に接着面を備えたシール状のタグである。この接着面を介して、無線ＩＣタグ６を遊技機１に貼付する。
上記ＩＤ記憶部７は、これを貼付する遊技機１に対応するタグＩＤを記憶し、無線送受信部８はＩＤ記憶部７が記憶しているタグＩＤを、リーダー３やリーダー５に対して送信する機能を備えている。
ここでは、無線ＩＣタグ６は、各リーダー３，５からの問い合わせ信号を受信した時、タグＩＤを送信するようにしている。ただし、タグＩＤの送信タイミングは、これに限らない。例えば、所定間隔で、無線ＩＣタグ６が一方的にタグＩＤを送信するようにしてもよい。
【００２５】
また、この無線ＩＣタグ６は、遊技機１からはがされた時には、上記無線送受信部８が機能しないようにしている。
具体的には、特許第３２１１１６８号公報に記載された封印用シールや、上記特許文献２に記載の電子タグのように、シール状に形成した無線ＩＣタグ６を、遊技機１の表面に貼付して用いる。そして、一旦、貼付した無線ＩＣタグ６をはがし取ろうとすると、内蔵された無線送受信部８が破壊されるようにしている。例えば、上記ＩＣタグ６に荷重が作用すると、内部の送信回路が断線したり、アンテナ回路が破壊されたりして、無線ＩＣタグ６からタグＩＤを送信できなくなるようにしている。あるいは、特願２００４−０３６３２２のような監視シートを使用しても良い。
従って、目的地Ｂに設けられたリーダー５は、上記無線ＩＣタグ６が、輸送元Ａにおいて遊技機１に貼付されたままの状態でなければ、タグＩＤを読み取ることができない。
【００２６】
一方、リーダー５には、ＧＰＳユニット９が搭載され、リーダー５の位置、すなわち、目的地Ｂの位置情報を検出するようにしている。
そして、上記リーダー５が無線ＩＣタグ６から読み取ったタグＩＤと、ＧＰＳユニット９が検出した位置情報とが目的地コンピュータ４に入力され、そのデータを、目的地コンピュータ４が通信ネットＮを介して輸送元コンピュータ２へ送信する。
なお、第１実施形態では、ＧＰＳユニット９をリーダー５に組み込んでいるが、目的地コンピュータ４に組み込んでもよいし、目的地コンピュータ４やリーダー５とは別の位置検出装置を目的地コンピュータ４に接続するようにしてもよい。また、この発明の位置検出機能を実現する手段もＧＰＳに限らない。要するに、目的地コンピュータ４が、自身の位置情報を検出して、輸送元コンピュータ２に対して送信できればよい。
【００２７】
以下に、このシステムを用いて遊技機の到着を輸送元Ａ側で確認する手順を説明する。
輸送元Ａでは、遊技機１を発送する際に、遊技機１に、遊技機１のタグＩＤを記憶させた無線ＩＣタグ６を貼付する。
そして、輸送元コンピュータ２は、この無線ＩＣタグ６からリーダー３を介してタグＩＤを読み取って記憶する。ただし、輸送元コンピュータ２に、タグＩＤを入力する方法は、これに限らず、手入力などでもかまわない。
【００２８】
そして、遊技機１が目的地Ｂに届いたら、目的地Ｂ側では、リーダー５によって遊技機１に貼付された無線ＩＣタグ６からタグＩＤを読み取らせる。リーダー５は、読み取ったタグＩＤと、上記ＧＰＳユニット９が検出した位置情報とを自動的に目的地コンピュータ４へ入力し、目的地コンピュータ４は、これらのデータを輸送元コンピュータ２へ送信する。
輸送元コンピュータ２は、タグＩＤと位置情報とを受信し、受信したデータを出力する。この際、遊技機の輸送前に記憶したタグＩＤも出力し、輸送元Ａでは、これらのデータから、人が、特定の遊技機１が目的地Ｂに届いたことを確認できる。
【００２９】
このシステムでは、目的地コンピュータ４から送信された位置情報によってリーダー５の設置場所を特定することができるため、その位置情報を受信した輸送元Ａ側では、遊技機１が確かに目的地ＢでＩＤを読み取られたこと、すなわち、遊技機１が目的地Ｂに届いたことを確認できる。
また、輸送元コンピュータ２が、目的地Ｂの目的地コンピュータ４からタグＩＤを受信したということは、遊技機１に貼付した無線ＩＣタグ６が遊技機１からはがされずに、目的地Ｂに届いたということである。すなわち、目的地Ｂに届いた遊技機が、確かに輸送元Ａから発送された遊技機１であるということを確認できる。
【００３０】
反対に、輸送元コンピュータ２が、目的地Ｂ側から、タグＩＤを受信できなかった場合には、配達すべき遊技機１が届いていないことがわかるし、タグＩＤとともに受信した位置情報が目的地Ｂに対応していない場合には、遊技機１が別の場所へ配達されたことがわかる。
このように、この発明のシステムによれば、配達すべき遊技機１が、途中で入れ替わったり、操作されたりすることなく目的地Ｂに届いたかどうかを確認できる。
【００３１】
ただし、上記無線ＩＣタグは、貼付された遊技機からはがされた場合に、無線送信機能が停止するのではなく、はがされる前と異なるタグＩＤを出力するようにしてもよい。
上記無線ＩＣタグが、はがされる前と異なるタグＩＤを出力するというのは、例えば、無線ＩＣタグがはがされる際に、特定の線が断線してはがされたことを検出し、記憶している固有ＩＤの後に、１ビットの断線情報を付加して出力するなどの方法がある。断線時には、「１」を付加して出力するというようにした場合、このような情報を受信したコンピュータでは、最後に「１」が付加された信号を受信して、断線、すなわち、無線ＩＣタグがはがされたことを確認できるのである。
【００３２】
上記第１実施形態では、無線ＩＣタグ１が、遊技機からはがされた場合に、無線送信機能を停止する機能を備えた例を説明したが、貼付された遊技機からはがされた場合に、無線送信機能が停止するのではなく、タグＩＤ以外の信号を出力する機能を備えた無線ＩＣタグを用いるようにしてもよい。無線ＩＣタグが、タグＩＤ以外の信号を出力するというのは、例えば、無線ＩＣタグがはがされる際に、特定の線が断線してはがされたことを検出し、記憶しているタグＩＤの後に、１ビットの断線情報を付加して出力するなどの方法である。例えば、上記特定の線の断線時には、タグＩＤの最後に「１」を付加して出力するというようにすれば、このような情報を受信したコンピュータでは、最後に「１」が付加された信号を受信して、断線、すなわち、無線ＩＣタグ１が、遊技機からはがされたことを確認できるのである。このような無線ＩＣタグ１は、以下に説明する他の実施形態においても、用いることができる。
【００３３】
この第１実施形態では、輸送元Ａにおいて、目的地Ｂから送信されたタグＩＤと、発送前に輸送元コンピュータ２に記憶させておいた遊技機１のタグＩＤとを人が対比して、目的地Ｂへの遊技機の到着を確認しているが、輸送元コンピュータ２が、受信したＩＤと位置情報から、遊技機１が目的地Ｂへ到着したかどうかを判定して、その判定結果を出力するようにしてもよい。
また、上記通信ネットＮに、図示しないこの発明の管理コンピュータにあたる管理装置を接続し、この管理装置が、目的地コンピュータ４からタグＩＤおよび位置情報を受信して、輸送元コンピュータ２へ送信するようにしてもよい。このようにすれば、輸送元や目的地が複数ある場合に、上記管理装置が全てのデータを一括管理することができる。
【００３４】
図３、図４に示す第２実施形態は、目的地Ｂに設置したリーダー５にＧＰＳユニット９を備えていない点と、目的地コンピュータ４が、後で詳しく説明する暗号化の機能を備えている点が、上記第１実施形態と異なる。
そして、輸送元Ａから輸送される遊技機１には、上記第１実施形態同様に、破壊検知型の無線ＩＣタグ６（図２参照）を貼付している。この無線ＩＣタグ６は、タグＩＤを記憶している。
【００３５】
また、輸送元コンピュータ２は、上記タグＩＤを暗号化するための暗号化キーＰＡと、この暗号化キーＰＡによって暗号化された暗号を復号化するための復号化キーＰＡ’とを生成する機能を備えている。さらに、この輸送元コンピュータ２は、生成した暗号化キーＰＡを、通信ネットＮを介して目的地Ｂの目的地コンピュータ４へ送信し、目的地コンピュータ４は受信した暗号化キーＰＡを用いて暗号を作成し、それを輸送元コンピュータ２へ送信する機能を備えている。
【００３６】
上記システムを用いて、輸送元コンピュータ２が、遊技機１が目的地Ｂに届いたことを確認する手順を説明する。
なお、図４に、輸送元Ａと目的地Ｂにおけるデータの流れを矢印（１）〜（６）で示している。図４では、通信ネットＮを省略している。
【００３７】
まず、輸送元Ａでは、遊技機１に貼付された無線ＩＣタグ６からリーダー３によってタグＩＤを読み取る（図４の矢印（１））。読み取ったタグＩＤを、矢印（２）のように、輸送元コンピュータ２へ入力する。輸送元コンピュータ２は、タグＩＤが入力されたら、そのタグＩＤを記憶するとともに、暗号化キーＰＡおよびこれに対応する復号化キーＰＡ’を生成する。これらの暗号化キーＰＡおよび復号化キーＰＡ’は、予め輸送元コンピュータ２に設定したルールに従って生成される。
【００３８】
なお、上記暗号化キーＰＡに対応する復号化キーＰＡ’とは、暗号化キーＰＡで暗号化した暗号を、復号化するためのキーのことである。
キー生成ルールはどのようなものでもかまわないが、例えば、上記タグＩＤが入力された入力時刻に基づいて各キーを生成するなど、毎回、異なる暗号化キーＰＡや復号化キーＰＡ’を生成することが望ましい。なぜなら、上記各キーを固定的に設定しなければ、一旦、受信したキーを別の機械に不正に使用できなくなるからである。
【００３９】
ここでは、１回ごとに生成した特定の暗号化キーＰＡを、特定の目的地Ｂに対してのみ送信するようにしているが、生成する暗号化キーＰＡおよび復号化キーＰＡ’を、毎回変更しなくてもかまわない。
そして、輸送元コンピュータ２は、生成した暗号化キーＰＡを、通信ネットＮを介して目的地Ｂの目的地コンピュータ４に送信する（図４の矢印（３））。この際、輸送元コンピュータ２は、目的地Ｂへ輸送すべき遊技機１のタグＩＤとともに、上記暗号化キーＰＡを目的地Ｂへ送信したことを記憶しておく。
【００４０】
一方、目的地コンピュータ４は、輸送元コンピュータ２から送信された上記暗号化キーＰＡを受信して記憶する。
次に、遊技機１が目的地Ｂに届いたら、目的地Ｂでは、作業員がリーダー５に、遊技機１に貼付された無線ＩＣタグ６からタグＩＤを読み取らせる（矢印（４））。タグＩＤを読み取ったリーダー５は、このタグＩＤを目的地コンピュータ４へ入力する（矢印（５））。
目的地コンピュータ４は、リーダー５から入力されたタグＩＤを、記憶している暗号化キーＰＡによって暗号化し、生成した暗号ＰＡ（ＩＤ）を、通信ネットＮを介して輸送元コンピュータ２へ送信する（図４の矢印（６））。
なお、上記暗号ＰＡ（ＩＤ）が、この発明の暗号化タグＩＤである。
【００４１】
輸送元コンピュータ２は、上記暗号ＰＡ（ＩＤ）を受信したら、記憶している復号化キーＰＡ’を用いて、上記暗号ＰＡ（ＩＤ）を復号化してＩＤを生成する。輸送元コンピュータ２は、復号化して生成したＩＤを、遊技機１の発送時に記憶しているタグＩＤと対比して両者が一致しているがどうかを判定する。そして、その判定結果を、表示装置などへ出力する。
輸送元Ａでは、出力された判定結果で上記両タグＩＤが一致していた場合には、そのタグＩＤに対応する遊技機１が、目的地Ｂへ届いたことを確認できる。もしも、両ＩＤが一致しなかった場合には、目的地Ｂには、輸送元Ａから発送した遊技機１が届いていないことがわかる。
【００４２】
輸送元コンピュータ２は、受信した暗号を復号化して生成したＩＤが、記憶しているタグＩＤと一致したことで、輸送元Ａから発送した遊技機１から無線ＩＣタグ６がはがされることなく、目的地に着いてタグＩＤが読み取られたことを確認することができる。
また、自身が記憶している復号化キーＰＡ’によって暗号ＰＡ（ＩＤ）を復号化できたことにより、上記暗号ＰＡ（ＩＤ）が目的地Ｂから送信されたことを確認することができる。なぜなら、復号化キーＰＡ’で復号化された暗号ＰＡ（ＩＤ）は、暗号化キーＰＡで暗号化されたはずである。そして、輸送元コンピュータ２は、タグＩＤを暗号化するための暗号化キーＰＡを目的地コンピュータ４宛に送信しているので、その暗号ＰＡ（ＩＤ）が目的地コンピュータ４から送信されたことがわかる。
以上のことから、遊技機１が目的地Ｂに、確かに到着したことがわかる。
【００４３】
なお、上記第２実施形態では、輸送元コンピュータ２が、目的地ごとに、異なる暗号化キーＰＡおよび復号化キーＰＡ’を生成して、その暗号化キーＰＡを目的地Ｂへ送信するようにしている。そのため、遊技機の輸送目的地が複数ある場合でも、輸送元コンピュータ２は、上記暗号化キーＰＡで暗号化された暗号ＰＡ（ＩＤ）を受信した時に、その暗号を復号化できる復号化キーＰＡ’によって暗号の送信元を特定することができる。
【００４４】
もしも、暗号化キーＰＡおよび復号化キーＰＡ’を目的地に対応づけていない場合には、目的地Ｂからは、暗号ＰＡ（ＩＤ）とともに目的地Ｂを特定するためのデータを輸送元コンピュータ２へ送信する必要がある。例えば、リーダー５に、図１のようにＧＰＳユニット９を設けて、暗号ＰＡ（ＩＤ）とともに位置情報も輸送元コンピュータ２へ送信するようにしたり、リーダー５や、目的地コンピュータ４の固有のＩＤを送信したりすることが考えられる。
ただし、特定の輸送元Ａに対して、遊技機の輸送目的地が１カ所しかない場合には、目的地を特定するデータは不要である。
また、上記の例では、輸送元コンピュータ２が、予め記憶しているタグＩＤと復号化したＩＤとを対比して、それらが一致するかどうかの判定をするようにしているが、両ＩＤを表示させるなどして、一致不一致の判断は、人が行うようにしてもかまわない。
【００４５】
図５に示す第３実施形態は、図３に示す第２実施形態と同様の構成であるが、タグＩＤを暗号化するための暗号化キーを輸送元コンピュータ２ではなく、目的地コンピュータ４が生成するとともに、この暗号化キーに対応する公開鍵を目的地Ｂが公開している点が、第２実施形態と異なる。
つまり、目的地Ｂの目的地コンピュータ４が、暗号化キーＰＢを生成し、それに対応する復号化キーＰＢ’をＩＤ用公開鍵として公開する。そして、目的地コンピュータ４が、生成した暗号化キーＰＢで、タグＩＤを暗号化するようにしている。
なお、遊技機１に破壊検知型の無線ＩＣタグ６を貼付し、この無線ＩＣタグ６は、遊技機１からはがされるとタグＩＤを送信できなくなる点は、他の実施形態と同じである。
【００４６】
図５は、この第３実施形態のシステムにおけるデータの流れを示した図である。この図５を用いて、遊技機１の目的地Ｂへの到着を確認する手順を説明する。
まず、目的地コンピュータ４は、暗号化キーＰＢを生成手記憶するとともに、それに対応する復号化キーＰＢ’をＩＤ用公開鍵として公開する。
【００４７】
次に、輸送元Ａでは、発送すべき遊技機１に貼付した無線ＩＣタグ６から、リーダー３にタグＩＤを読み取らせ（図５の矢印（１））、それを輸送元コンピュータ２へ入力する（図５の矢印（２））。そして、遊技機１を発送する。
目的地Ｂでは、遊技機１が届いたら、その無線ＩＣタグ６からリーダー５がタグＩＤを読み取り（図５の矢印（３））、目的地コンピュータ４へ入力する（図５の矢印（４））。
目的地コンピュータ４は、先に生成して記憶している暗号化キーＰＢに基づいて、上記タグＩＤを暗号化し、この発明の暗号化タグＩＤである暗号ＰＢ（ＩＤ）を、輸送元コンピュータ２へ送信する（図５の矢印（５））。
【００４８】
上記暗号ＰＢ（ＩＤ）を受信した輸送元コンピュータ２は、公開されているＢのＩＤ用公開鍵ＰＢ’によって、暗号ＰＢ（ＩＤ）を復号化してタグＩＤを生成する。
なお、上記ＩＤ用公開鍵ＰＢ’は、どこに公開されていてもかまわないが、輸送元コンピュータ２は、上記暗号ＰＢ（ＩＤ）を復号化するまでに、ＩＤ用公開鍵ＰＢ’を受信するようにする。あるいは、目的地コンピュータ４が、輸送元コンピュータ２に対して、ＩＤ用公開鍵ＰＢ’を送信するようにしてもよい。
【００４９】
そして、輸送元コンピュータ２は、暗号ＰＢ（ＩＤ）を復号化して生成したタグＩＤと、遊技機１の発送時に記憶したタグＩＤとを対比して、それらが一致するかどうかを判定し、判定結果を出力する。
輸送元Ａでは、上記判定結果において、両タグＩＤが一致していた場合には、遊技機１が、目的地Ｂへ確かに届いたことを確認することができる。
輸送元コンピュータ２が、暗号ＰＢ（ＩＤ）を、目的地ＢのＩＤ用公開鍵ＰＢ’によって復号化できたということは、上記暗号ＰＢ（ＩＤ）が、目的地Ｂから送信されたということを意味し、遊技機１のタグＩＤが、目的地Ｂで読み取られたことを意味する。すなわち、遊技機１が、無線ＩＣタグ６とともに目的地Ｂに届いたということになる。
【００５０】
以上のように、第１〜第３実施形態に示すこの発明のシステムによれば、遊技機の輸送元から、その遊技機が目的地に正しく届いたかどうかを確実に確認することができる。
ここで、正しく目的地に届いたとは、目的地を間違えなかったということとともに、無線ＩＣタグ６が貼付された遊技機が取り替えられるようなことがないということである。
【００５１】
図６，図７に示す第４実施形態は、請求項５に係わる発明の一実施形態である。この第４実施形態のシステムは、遊技機１を輸送する輸送業者Ｘの業者端末１０を備えた点が、図１に示す第１実施形態と異なるが、その他の構成は、第１実施形態と同じである。
つまり、遊技機１が、輸送元Ａから目的地Ｂへ輸送された時、輸送元コンピュータ２が、目的地コンピュータ４から送信されるデータに基づいて、遊技機１が目的地Ｂに届いたことを確認できる点は、第１実施形態と同じである。また、遊技機１には、上記した他の実施形態と同様に、破壊検出型の無線ＩＣタグ６を貼付する。
ただし、この第４実施形態のシステムでは、輸送業者Ｘと、輸送元Ａとの間で、遊技機１の受け渡しが行われたことを認証するようにしている。
【００５２】
上記業者端末１０は、輸送元コンピュータ２との間で通信が可能で有るとともに、上記無線ＩＣタグ６からタグＩＤを読み取る機能と、以下に説明するデータ処理機能とを備えたコンピュータである。
そして、輸送元コンピュータ２は、上記第１実施形態の輸送元コンピュータ２機能の外に、輸送元Ａの作業員が、業者Ｘに遊技機１を渡す際に、遊技機１に貼付した無線ＩＣタグからタグＩＤを読み取るとともに、そのときの時刻に対応するＩＤとして時刻ＩＤ（ｔ）を生成する機能を備えている。
上記輸送元コンピュータ２と業者端末１０との間の通信は、無線でも有線でもかまわないが、輸送業者とともに、移動する業者端末１０に配線が必要ないように、無線通信を利用する方が便利である。
【００５３】
次に、このシステムにおいて、遊技機１を輸送元Ａから業者Ｘに渡す際の、輸送元コンピュータ２および業者端末１０の機能を、図７に示すデータの流れに従って説明する。
なお、輸送元コンピュータ２は、遊技機１に貼付された無線ＩＣタグ６からタグＩＤを、リーダー３を介して読み取るが、以下の説明では、リーダー３を省略し、図７においても、リーダー３を省略している。
【００５４】
輸送元Ａでは、業者Ｘに遊技機１を渡す際に、輸送元コンピュータ２が遊技機１に貼付された無線ＩＣタグ６からタグＩＤを読み取って（図７の矢印（１））、それを記憶する。
輸送元コンピュータ２は、タグＩＤを読み取ったら、その時刻を特定して時刻ＩＤ（ｔ）を生成し、これを業者端末１０へ送信する。この時刻ＩＤ（ｔ）とは、時刻に対応したコードである。
また、上記輸送元コンピュータ２は、矢印（３）に示すように、輸送元コンピュータ２に固有のＩＤ、すなわちコンピュータＩＤ（ａ）も、業者端末１０へ送信する。このコンピュータＩＤ（ａ）の送信タイミングは、業者端末１０との間の一連のデータのやりとりが終了するまでの間なら、いつでもかまわない。
一方、業者端末１０は、受信したコンピュータＩＤ（ａ）を記憶するとともに、受信した時刻ＩＤ（ｔ）に基づいて暗号化キーＰＸを生成し、それを輸送元コンピュータ２へ送信する（図７の矢印（４））。
【００５５】
次に、上記暗号化キーＰＸを受信した輸送元コンピュータ２が、先に記憶したタグＩＤを上記暗号化キーＰＸで暗号化し、この発明の暗号化タグＩＤである暗号ＰＸ（ＩＤ）を業者端末１０へ送信する（図７の矢印（５））。
業者端末１０は、暗号ＰＸ（ＩＤ）を受信し、この暗号ＰＸ（ＩＤ）を、復号化キーＰＸ’を用いて復号化してＩＤを生成する。この復号化キーＰＸ’は、業者端末１０が生成した暗号化キーＰＸに対応する復号化キーである。
そして、業者端末１０は、復号化したＩＤに、先に受信した受け渡しコンピュータ２に固有のコンピュータＩＤ（ａ）を対応づけて記憶する。
また、このときまでに、遊技機１は、業者Ｘに渡っているので、業者端末１０は、遊技機１に貼付されている無線ＩＣタグ６からタグＩＤを読み取る（図７の矢印（６））。
【００５６】
業者端末１０は、上記復号化したＩＤと読み取ったＩＤとを対比し、上記両ＩＤが一致した場合、業者Ｘは、遊技機１を輸送元Ａから確かに受け取ったことをその場で確認できる。
なぜなら、上記業者端末１０が、上記暗号ＰＸ（ＩＤ）を自身の復号化キーＰＸ’で復号化できたということは、上記暗号ＰＸ（ＩＤ）が、暗号化キーＰＸで暗号されたということであり、この暗号化キーＰＸは、業者端末１０が送信元コンピュータ２へ送信したものだからである。
また、業者端末１０が、無線ＩＣタグ１からタグＩＤを読み取ることができたということから、ＩＣタグ１が遊技機からはがされることがなかったということがわかり、この無線ＩＣタグ１が他の遊技機に貼り換えられるようなことが無かったということも確認できる。すなわち、遊技機１が入れ換えられた心配が無いということである。
【００５７】
さらに、上記業者端末１０は、復号化したタグＩＤに、輸送元コンピュータ２から受信したコンピュータＩＤ（ａ）とを対応づけて記憶しているので、いつでも、これらのデータを確認することができる。そして、業者端末１０は、上記対応データに基づいて、タグＩＤに対応した輸送元コンピュータ２のコンピュータＩＤ（ａ）を特定する機能を備えている。
つまり、特定の遊技機のタグＩＤが、上記受け取り側コンピュータ３に、復号化されたＩＤとして記憶されていれば、それに対応する輸送元コンピュータ２のコンピュータＩＤを特定できる。輸送元コンピュータ２のコンピュータＩＤ（ａ）が特定できれば、輸送元コンピュータ２が特定できるので、その遊技機が、どの輸送元、例えば、輸送元Ａから渡されたということを証明することができる。
【００５８】
なお、業者端末１０が、タグＩＤを読み取るタイミングは、上記のタイミングに限らない。遊技機１を受け取った後ならいつでもかまわない。
この第４実施形態では、受け渡し側コンピュータが時刻ＩＤ（ｔ）を生成して受け取り側コンピュータへ送信し、受け取り側コンピュータが時刻ＩＤ（ｔ）を用いて暗号化キーＰＸを生成しているが、このようにすれば、受け取り側コンピュータで生成される暗号化キーＰＸがその時点での固有のキーになり、後から不正に使用されることを防止することができる。また、時刻ＩＤに基づいて、後から時刻を特定することもできる。ただし、時刻に限らず、その場限りのコードを生成して、それを暗号化キーの生成に利用するようにしてもかまわない。また、時刻ＩＤのようなコードはかならずしも必要ではない。
【００５９】
この第４実施例においては、上記輸送元コンピュータ２が、この発明の受け渡し側コンピュータとして機能し、業者端末１０が、この発明の受け取り側コンピュータである。
また、図７に示す受け渡し確認の構成は、上記第１〜第３実施形態のいずれのシステムに組み込んでもよい。
【００６０】
図８に示す第５実施形態は、輸送元Ａから業者Ｘに対して、遊技機１を受け渡した時に、業者Ｘが、輸送元Ａから遊技機１を受け取ったことを確認するシステムの例で、上記第４実施形態とは別の方法を用いるシステムである。
図８は、輸送元コンピュータ２と、業者端末１０との間のデータの流れを示した図であるが、システムの全体構成は、図６に示す第４実施形態と同じである。従って、この実施形態の説明にも、図６を用いる。そして、上記第４実施形態と異なる部分を中心に説明する。
【００６１】
この第５実施形態では、無線ＩＣタグから読み取ったタグＩＤを暗号化するための暗号化キーＰＡを業者端末１０が生成するのではなく、輸送元コンピュータ２が生成するようにしている。そして、この暗号化キーＰＡに対応する復号化キーＰＡ’を輸送元ＡのＩＤ用公開鍵ＰＡ’として公開する。ただし、上記暗号化キーＰＡは、輸送元コンピュータ２で、毎回生成するのではなく、上記ＩＤ用公開鍵である復号化キーＰＡ’と対で、一旦生成したら、輸送元コンピュータ２が記憶しておいて、必要な時に利用する。また、これらの暗号化キーＰＡ及び復号化キーＰＡ’は、輸送元コンピュータ２以外のコンピュータで生成してもかまわないが、生成された暗号化キーＰＡは、輸送元Ａ側の秘密鍵でなければならない。
【００６２】
以下に、図８に従って、各コンピュータの機能とデータの流れを説明する。
輸送元Ａでは、業者Ｘに遊技機１を渡す際に、輸送元コンピュータ２が遊技機１に貼付された無線ＩＣタグ６からタグＩＤを読み取って（図８の矢印（１））、それを記憶する。
次に、輸送元コンピュータ２は、タグＩＤを暗号化するための暗号化キーＰＡを生成し、この暗号化キーＰＡを用いて、読み取ったタグＩＤを暗号化する。暗号化タグＩＤとして暗号ＰＡ（ＩＤ）を業者端末１０へ送信する（図８矢印（２））。上記暗号化キーＰＡも、一回限りのキーとして生成すると、暗号が第三者から解読されにくくなる。
【００６３】
一方、業者端末１０は、暗号ＰＡ（ＩＤ）を受信して記憶する。そして、記憶した暗号ＰＡ（ＩＤ）を輸送元ＡのＩＤ用公開鍵である復号化キーＰＡ’を用いて復号化し、ＩＤを生成する。この復号化キーＰＡ’は、輸送元コンピュータ２が生成した暗号化キーＰＡに対応する復号化キーである。このときまでに、遊技機１は、業者Ｘに渡っているので、業者端末１０は、遊技機１に貼付されている無線ＩＣタグ６からタグＩＤを読み取って（矢印（３））、上記復号化したＩＤと読み取ったＩＤとを対比する。
そして、上記両ＩＤが一致した場合、業者Ｘは、特定の遊技機１を輸送元Ａから確かに受け取ったことをその場で確認できる。
【００６４】
なぜなら、業者端末１０が、上記暗号ＰＡ（ＩＤ）を、Ａの公開鍵である復号化キーＰＡ’を用いて復号化できたということは、上記暗号ＰＡ（ＩＤ）が、輸送元Ａの輸送元コンピュータ２で暗号化されたものだからである。つまり、輸送元コンピュータ２が、読み取った遊技機１のタグＩＤをと同じタグＩＤを、業者端末１０も読み取ったことになるからである。
また、業者端末１０が、無線ＩＣタグ１からタグＩＤを読み取ることができたということから、ＩＣタグ１が遊技機からはがされることがなかったということがわかる点は、上記他の実施形態と同じである。
【００６５】
さらに、業者端末１０は、輸送元コンピュータ２から受信した暗号ＰＡ（ＩＤ）を記憶しているので、後から、受け取った遊技機のタグＩＤと、輸送元Ａを確認することができる。
例えば、業者端末１０が記憶している暗号ＰＡ（ＩＤ）を、輸送元Ａの公開鍵である復号化キーＰＡ’で復号化することによって、その暗号が輸送元Ａ側の輸送元コンピュータ２から送信されたことを証明できる。また、復号化したＩＤと遊技機に貼付されたタグＩＤとの対応から、遊技機を特定することもできる。従って、輸送が終了した後に、その遊技機をどの業者から受け取ったのかということを確認することができる。
【００６６】
なお、業者端末１０が、タグＩＤを読み取るタイミングは、上記のタイミングに限らない。遊技機１を受け取った後ならいつでもかまわない。
この第５実施形態では、上記輸送元コンピュータ２が、この発明の受け渡し側コンピュータとして機能し、業者端末１０が、この発明の受け取り側コンピュータである。
また、図８に示す受け渡し確認の構成は、上記第１〜第３実施形態のいずれのシステムに組み込んでもよい。
【００６７】
図９に示す第６実施形態は、輸送元Ａから業者Ｘに対して、遊技機１を受け渡した時、輸送元Ａ側が、業者Ｘに遊技機１を渡したことを確認するシステムの例である。
図９は、輸送元コンピュータ２と、業者端末１０との間のデータの流れを示した図であるが、システムの全体構成は、図６に示す第４実施形態と同じである。従って、この実施形態の説明にも、図６を用いる。
【００６８】
この第６実施形態では、無線ＩＣタグから読み取ったタグＩＤを暗号化するための暗号化キーＰＡを輸送元コンピュータ２が生成し、その暗号化キーＰＡを用いてタグＩＤの暗号化を業者端末１０が行う。
【００６９】
以下に、図９に従って、各コンピュータの機能とデータの流れを説明する。
輸送元Ａでは、業者Ｘに遊技機１を渡す際に、輸送元コンピュータ２が遊技機１に貼付された無線ＩＣタグ６からタグＩＤを読み取って（図９の矢印（１））、それを記憶する。
次に、輸送元コンピュータ２は、タグＩＤを暗号化するための暗号化キーＰＡを生成し、この暗号化キーＰＡを業者端末１０へ送信する（図９の矢印（２））。
上記暗号化キーＰＡも、一回限りのキーとして生成すると、一旦、受信したキーを別の機会等に不正に使用することができなくなる。
【００７０】
一方、業者端末１０は、暗号化キーＰＡを受信したらそれを記憶するが、この時点で、遊技機１は、業者Ｘにわたっているので、業者端末１０は遊技機１に貼付されている無線ＩＣタグ６からタグＩＤを読み取る（矢印（３））。
次に、業者端末１０は、矢印（４）に示すように、業者端末１０に固有のＩＤ、すなわち、コンピュータＩＤ（ｘ）を、輸送元コンピュータ２へ送信する。このコンピュータＩＤ（ｘ）の送信タイミングは、輸送元コンピュータ２との間の一連のデータのやりとりが終了するまでの間なら、いつでもかまわない。
また、業者端末１０は、読み取ったタグＩＤを、先に輸送元コンピュータ２から受信した暗号化キーＰＡを用いて暗号化し、暗号化タグＩＤとして暗号ＰＡ（ＩＤ）を輸送元コンピュータ２へ送信する（図９の矢印（５））。
【００７１】
輸送元コンピュータ２は、受信したコンピュータＩＤ（ｘ）を記憶するとともに、暗号ＰＡ（ＩＤ）を受信し、この暗号ＰＡ（ＩＤ）を上記暗号化キーＰＡに対応する復号化キーＰＡ’を用いて復号化し、ＩＤを生成する。そして、この復号化したタグＩＤに、上記コンピュータＩＤ（ｘ）を対応づけて記憶する。
また、輸送元コンピュータ２は、業者Ｘに遊技機１を渡す前に、無線ＩＣタグ６から読み取って記憶しているタグＩＤと復号化して生成したＩＤとを対比する。
【００７２】
上記両ＩＤが一致した場合、輸送元Ａ側は、業者Ｘに、特定の遊技機１を確かに渡したことをその場で確認できる。
なぜなら、輸送元コンピュータ２が、上記暗号ＰＡ（ＩＤ）を自身の復号化キーＰＡ’を用いて復号化できたということは、その暗号ＰＡ（ＩＤ）が、自身が暗号化キーＰＡを送信した業者端末１０で暗号化されたものであることがわかるからである。
【００７３】
さらに、上記輸送元コンピュータ２は、復号化したタグＩＤに、業者端末１０から受信したコンピュータＩＤ（ｘ）とを対応づけて記憶しているので、いつでも、これらのデータを確認することができる。そして、輸送元コンピュータ２は、上記対応データに基づいて、タグＩＤに対応した業者端末１０のコンピュータＩＤ（ｘ）を特定する機能を備えている。
つまり、特定の遊技機のタグＩＤが、上記輸送元コンピュータ２に、復号化されたＩＤとして記憶されていれば、それに対応する業者端末１０のコンピュータＩＤを特定できる。業者端末１０のコンピュータＩＤ（ｘ）が特定できれば、業者端末１０が特定できるので、その遊技機が、どの業者、例えば、業者Ｘへ渡したということを証明することができる。
【００７４】
なお、業者端末１０が、タグＩＤを読み取るタイミングは、上記のタイミングに限らない。遊技機１を受け取った後ならいつでもかまわない。
また、業者端末１０が、無線ＩＣタグ１からタグＩＤを読み取ることができたということから、ＩＣタグ１が遊技機からはがされることがなかったということがわかる点は、上記端実施形態と同じである。
この第６実施形態では、上記輸送元コンピュータ２が、この発明の受け渡し側コンピュータとして機能し、業者端末１０が、この発明の受け取り側コンピュータである。
また、図９に示す受け渡し確認の構成は、上記第１〜第３実施形態のいずれのシステムに組み込んでもよい。
【００７５】
図１０に示す第７実施形態は、輸送元Ａから業者Ｘに対して、遊技機１を受け渡した時に、輸送元Ａ側が、業者Ｘに遊技機１を渡したことを確認するシステムの例で、上記第６実施形態とは別の方法を用いるシステムである。
図１０は、輸送元コンピュータ２と、業者端末１０との間のデータの流れを示した図であるが、システムの全体構成は、図６に示す第４実施形態と同じである。従って、この実施形態の説明にも、図６を用いる。そして、上記第６実施形態と異なる部分を中心に説明する。
【００７６】
この第８実施形態では、無線ＩＣタグから読み取ったタグＩＤを暗号化するための暗号化キーＰＸを輸送元コンピュータ２が生成するのではなく、業者端末１０が生成するようにしている。そして、この暗号化キーＰＸに対応する復号化キーＰＸ’を業者ＸのＩＤ用公開鍵ＰＸ’として公開する。ただし、上記暗号化キーＰＸは、業者端末１０で、毎回生成するのではなく、上記ＩＤ用公開鍵である復号化キーＰＸ’と対で、一旦生成したら、業者端末１０が記憶しておいて、必要な時に利用する。また、これらの暗号化キーＰＸ及び復号化キーＰＸ’は、業者端末１０以外のコンピュータで生成してもかまわないが、生成された暗号化キーＰＸは、業者Ｘ側の秘密鍵でなければならない。
【００７７】
以下に、図１０に従って、各コンピュータの機能とデータの流れを説明する。
輸送元Ａでは、業者Ｘに遊技機１を渡す際に、輸送元コンピュータ２が遊技機１に貼付された無線ＩＣタグ６からタグＩＤを読み取って（図１０の矢印（１））、それを記憶する。
そして、遊技機１を業者Ｘに渡す。
一方、業者端末１０は、遊技機１に貼付されている無線ＩＣタグ６からタグＩＤを読み取る（図１０の矢印（２））。そして、このタグＩＤを自身が生成した暗号化キーＰＸで暗号化し、暗号化タグＩＤとしてのＰＸ（ＩＤ）を輸送元コンピュータ２へ送信する（図１０の矢印（３））。
【００７８】
上記暗号化キーＰＸは、業者端末１０で生成しなければならないものではない。他のコンピュータで生成したものを業者端末１０が受信して用いるようにしてもかまわない。
輸送元コンピュータ２は、上記暗号ＰＸ（ＩＤ）受信して記憶し、記憶した暗号ＰＸ（ＩＤ）を業者ＸのＩＤ用公開鍵である復号化キーＰＸ’を用いて復号化し、ＩＤを生成する。この復号化キーＰＸ’は、業者端末１０が用いた暗号化キーＰＸに対応する復号化キーである。
【００７９】
そして、輸送元コンピュータ２は、業者Ｘに遊技機１を渡す前に、無線ＩＣタグ６からタグＩＤを読み取って記憶しているタグＩＤと、復号化して生成したＩＤとを対比する。
上記両ＩＤが一致した場合、輸送元Ａ側は、業者Ｘに、特定の遊技機１を確かに渡したことをその場で確認できる。
なぜなら、業者ＸのＩＤ用公開鍵である復号化キーＰＸ’で復号化できる暗号は、業者端末１０で生成され、送信されたものだから、業者Ｘに正規のタグＩＤが付加された遊技機１が渡ったことがわかるのである。
また、業者端末１０が、無線ＩＣタグ１からタグＩＤを読み取ることができたということから、遊技機が入れ換えられた心配が無いという点は、上記他の実施形態と同じである。
【００８０】
さらに、輸送元コンピュータ２は、業者端末１０から受信した暗号ＰＸ（ＩＤ）を記憶しているので、後から、受け渡した物品のタグＩＤと、受け取り業者、例えば業者Ｘを確認することができる。
例えば、輸送元コンピュータ２が記憶している暗号ＰＸ（ＩＤ）を、業者Ｘの公開鍵である復号化キーＰＸ’で復号化することによって、その暗号が業者Ｘ側の業者端末１０から送信されたことを証明できる。また、復号化したＩＤと物品に貼付されたタグＩＤとの対応から、物品を特定することもできる。従って、輸送が終了した後に、その物品をどの業者へ受け渡したのかということを確認することができる。
【００８１】
なお、業者端末１０が、タグＩＤを読み取るタイミングは、遊技機１を受け取った後ならいつでもかまわない。
この第７実施形態では、上記輸送元コンピュータ２が、この発明の受け渡し側コンピュータとして機能し、業者端末１０が、この発明の受け取り側コンピュータである。
また、図１０に示す受け渡し確認の構成は、上記第１〜第３実施形態のいずれのシステムに組み込んでもよい。
【００８２】
上記第４〜第７実施形態では、輸送元コンピュータ２を発明の受け渡し側コンピュータとし、業者端末１０を受け取り側コンピュータとしているが、業者Ｘが目的地Ｂに遊技機１を届けて、目的地コンピュータ４との間で、業者端末１０が受け渡し側コンピュータとして機能し、目的地コンピュータ４が受け取り側コンピュータとして機能する場合もある。
また、各実施形態では、それぞれ、受け渡し側が遊技機１を渡したことを確認する例と、受け取り側が受け取ったことを確認する例を別々に説明しているが、これらを組み合わせて、一つのシステムにおいて、受け渡し側および受け取り側の確認の両方を行うようにすることもできる。
【００８３】
さらに、輸送元Ａから目的地Ｂまでの間に複数の輸送業者が介在し、業者Ｘが、別の業者に遊技機１を受け渡す場合も考えられる。その場合には、業者Ｘから遊技機を受け取る別の業者の業者端末が受け取り側コンピュータとなり、業者Ｘの業者端末１０が受け渡し側端末として機能する。次々と別の業者を経由して目的地まで遊技機１を輸送する過程で、全ての受け渡しに付いて、上記実施形態と同様に、遊技機１の受け渡しの認証ができる。
そして、受け渡し側コンピュータおよび受け取り側コンピュータがそれぞれ、遊技機１の受け渡し時および受け取り時の確認結果を記録しておくようにしているので、遊技機１が、目的地にきちんと届かなかった場合に、各コンピュータの記録を基に、どの時点まで遊技機１が正常に輸送されたのかを確認することができる。
【００８４】
また、上記第１〜第７実施例において、暗号化キーや、暗号化タグＩＤなどのデータの送受信とは別に、一方のコンピュータから、他方のコンピュータへ、任意のコードを送信し、そのコードを暗号化することによって送信相手を確認することもできる。
図１１に示す第８実施形態は、受け渡し側Ｙの受け渡し側コンピュータ１１と受け取り側Ｚの受け取り側コンピュータ１２との間で、送信相手を確認する例である。
受け渡し側コンピュータ１２は、乱数など任意のコードＱを生成して、それを受け取り側コンピュータ１２へ送信する（図１１の矢印（１））。
【００８５】
受け取り側コンピュータ１２は、コードＱを受信したら、それを自身が保持している暗号化キーＰＲを用いて暗号化し、暗号ＰＲ（Ｑ）を生成する。
なお、上記暗号化キーＰＲに対応する復号化キーＰＲ’を、受け取り側Ｚのコード用公開鍵として公開しておく。また、上記暗号ＰＲ（Ｑ）が、この発明の暗号化コードである。
そして、受け取り側コンピュータ１２は、生成した暗号ＰＲ（Ｑ）を受け渡し側コンピュータ１１へ送信する（図１１の矢印（２））。
受け渡し側コンピュータ１１は、上記暗号ＰＲ（Ｑ）を受信したら、これを上記Ｚのコード用公開鍵である復号化キーＰＲ’を用いて復号化し、コードを生成する。
【００８６】
そして、上記復号化して生成したコードと、先に、受け取り側コンピュータ１２へ送信するための自身が生成したコードＱとが一致すれば、受け渡し側コンピュータ１１は、受け取り側コンピュータ１２との間で、通信していることをその場で確認できる。
なぜなら、受け渡し側コンピュータ１が、受信した暗号ＰＲ（Ｑ）を受け取り側Ｚのコード用公開鍵で復号化できたと言うことは、上記暗号ＰＲ（Ｑ）が受け取り側Ｚから送信されたことを意味するからである。
【００８７】
なお、上記第８実施形態は、受け渡し側Ｙが、通信相手を確認する例であるが、図１１に示す受け渡し側コンピュータ１１と受け取り側コンピュータ１２の機能を反対にすれば、受け取り側コンピュータ１２が、通信相手を確認することができる。
そして、このような通信相手を確認する手順は、上記第４〜第７の全ての実施形態において、通信相手の確認のために利用することができる。
【図面の簡単な説明】
【００８８】
【図１】第１実施形態のシステムの全体構成図である。
【図２】第１実施形態の無線ＩＣタグの構成図である。
【図３】第２実施形態のシステムの全体構成図である。
【図４】第２実施形態のシステムにおけるデータの流れを示した模式図である。
【図５】第３実施形態のシステムにおけるデータの流れを示した模式図である。
【図６】第４実施形態のシステム全体構成図である。
【図７】第４実施形態のシステムにおけるデータの流れを示した模式図である。
【図８】第５実施形態のシステムにおけるデータの流れを示した模式図である。
【図９】第６実施形態のシステムにおけるデータの流れを示した模式図である。
【図１０】第７実施形態のシステムにおけるデータの流れを示した模式図である。
【図１１】第８実施形態のシステムにおけるデータの流れを示した模式図である。
【符号の説明】
【００８９】
１      遊技機
２      輸送元コンピュータ
４      目的地コンピュータ
３，５  リーダー
６      破壊検知型の無線ＩＣタグ
９      ＧＰＳユニット
１０    業者端末
１１    受け渡し側コンピュータ
１２    受け取り側コンピュータ
Ａ      輸送元
Ｂ      目的地
Ｘ      業者
Ｙ      受け渡し側
Ｚ      受け取り側
【図１】
2006043113.tif 000003
【図２】
2006043113.tif 000004
【図３】
2006043113.tif 000005
【図４】
2006043113.tif 000006
【図５】
2006043113.tif 000007
【図６】
2006043113.tif 000008
【図７】
2006043113.tif 000009
【図８】
2006043113.tif 000010
【図９】
2006043113.tif 000011
【図１０】
2006043113.tif 000012
【図１１】
2006043113.tif 000013